(57)【要約】  室内機本体（１）内に形成された送風路（２８）に沿って配置される前部エアフィルタ（１１Ａ）と上部エアフィルタ（１１Ｂ）、熱交換器（１０）及び送風機（２０）と、エアフィルタ（１１Ａ，１１Ｂ）の表面に接触移動しながらエアフィルタ（１１Ａ，１１Ｂ）に付着する塵埃を除去するエアフィルタ清掃機構（Ａ）と、横流ファン（２１）に接触しエアフィルタ（１１Ａ，１１Ｂ）と熱交換器（１０）を通過して横流ファン（２１）に付着する塵埃を横流ファン（２１）の回転にともなって除去するファン清掃機構（Ｂ）とを具備することで、エアフィルタ（１１Ａ，１１Ｂ）と横流ファン（２１）にそれぞれ接触して、これらに付着する塵埃を自動で除去する。
2007145254.tif 000002
【特許請求の範囲】
【請求項１】
室内空気の吸込口及び熱交換空気の吹出口を備えた室内機本体と、
この室内機本体内に形成され、上記吸込口と吹出口とを連通する送風路と、
この送風路に沿って配置されるエアフィルタ、熱交換器及び送風機と、
上記エアフィルタの表面に接触移動しながら、エアフィルタに付着する塵埃を除去するエアフィルタ清掃機構と、
上記送風機を構成するファンに接触し、上記エアフィルタと熱交換器を通過して上記ファンに付着する塵埃を、ファンの回転にともなって除去するファン清掃機構と
を具備することを特徴とする空気調和機の室内機。
【請求項２】
上記室内機本体は、上記エアフィルタ清掃機構及び上記ファン清掃機構が除去した塵埃を、室外へ排出する吸排気機構を具備することを特徴とする請求項１記載の空気調和機の室内機。
【請求項３】
上記エアフィルタ清掃機構と上記吸排気機構との間にエアフィルタ用案内路が介設され、
上記ファン清掃機構と吸排気機構とはファン用案内路によって連通され、
これらエアフィルタ用案内路とファン用案内路は吸排気機構において合流することを特徴とする請求項２記載の空気調和機の室内機。
【請求項４】
上記エアフィルタ用案内路及び上記ファン用案内路は、互いに逆に開閉動作する開閉機構を備え、
上記吸排気機構は１つの換気ファンを備えたことを特徴とする請求項３記載の空気調和機の室内機。
【請求項５】
上記ファン清掃機構は、先端部が上記ファンに接触するブラシ等の清掃具であり、
ファン清掃機構と上記吸排気機構は互いに連動して作用することを特徴とする請求項２記載の空気調和機の室内機。
【請求項６】
上記ファンは、軸方向に所定間隔を存して設けられる円板からなる両側端板及び中間仕切り板と、これら両側端板及び中間仕切り板の相互間に亘って架設される複数枚の羽根からなる横流ファン（クロスフローファン）であり、
上記両側端板及び中間仕切り板の軸芯部に、上記ファン清掃機構が掻き落した塵埃を案内する塵埃回収用開口部を備えたことを特徴とする請求項１記載の空気調和機の室内機。
【請求項７】
上記吸排気機構は、上記ファンの側端面に対向して塵埃の導入口を備えたことを特徴とする請求項６記載の空気調和機の室内機。
【請求項８】
上記吸込口は、空調運転中は吸込口を開放し、上記エアフィルタ清掃機構及び上記ファン清掃機構の作動中は吸込口を閉成する可動パネルを備え、
上記吹出口は、空調運転中は熱交換空気の吹出し方向を設定し、上記エアフィルタ清掃機構及び上記ファン清掃機構の作動中は吹出口を閉成する吹出しルーバを備えたことを特徴とする請求項１記載の空気調和機の室内機。
【請求項９】
上記室内機本体は、空調運転中は上記ファンを正回転駆動し、上記ファン清掃機構の作動中はファンを逆回転する、もしくは正回転と逆回転を繰り返すよう制御する制御部を備えたことを特徴とする請求項１記載の空気調和機の室内機。
【請求項１０】
上記室内機本体は、空調運転の終了の都度、もしくは空調運転累積時間が所定時間に到達したら、上記エアフィルタ清掃機構及び上記ファン清掃機構を作動するよう制御する制御部を備えたことを特徴とする請求項１記載の空気調和機の室内機。
【請求項１１】
上記室内機本体は、空調運転の終了後に、任意で上記エアフィルタ清掃機構及び上記ファン清掃機構を作動するよう制御する制御部を備えたことを特徴とする請求項１記載の空気調和機の室内機。
【請求項１２】
室内空気の吸込口及び熱交換空気の吹出口を備えた室内機本体と、
この室内機本体内に形成され、上記吸込口と吹出口とを連通する送風路と、
この送風路に沿って配置されるエアフィルタ、熱交換器及び送風機と、
上記送風機を構成するファンに付着する塵埃を除去するファン清掃機構と、
このファン清掃機構が除去した塵埃を吸入して室外へ排出する吸排気機構と
を具備することを特徴とする空気調和機の室内機。
【請求項１３】
室内空気の吸込口及び熱交換空気の吹出口を備えた室内機本体と、
この室内機本体内に形成され、上記吸込口と吹出口とを連通する送風路と、
この送風路に沿って配置されるエアフィルタ、熱交換器及び横流ファンと、
上記横流ファンに接触し、横流ファンに付着する塵埃を、横流ファンの回転にともなって除去するファン清掃機構と、
上記横流ファン側部に隣設され、横流ファンの側端面に対向してファン清掃機構部と連通する塵埃導入口が形成され、ファン清掃機構が除去した塵埃を空気とともに上記塵埃導入口から吸入して室外へ排出する吸排気機構と
を具備することを特徴とする空気調和機の室内機。
【請求項１４】
上記ファン清掃機構は、先端部が上記ファンに接触するブラシ等の清掃具であり、
ファン清掃機構と上記吸排気機構は互いに連動して作用することを特徴とする請求項１２又は請求項１３に記載の空気調和機の室内機。
【請求項１５】
上記横流ファンは、軸方向に所定間隔を存して設けられる円板からなる両側端板及び中間仕切り板と、これら両側端板及び中間仕切り板の相互間に亘って架設される複数枚の羽根を備え、
上記横流ファンの両側端板及び中間仕切り板の軸芯部に、上記ファン清掃機構が掻き落した塵埃を案内する塵埃回収用開口部を備えたことを特徴とする請求項１３記載の空気調和機の室内機。
【発明の詳細な説明】
【技術分野】
【０００１】
本発明は、エアフィルタ及び送風機ファンに対する掃除機能と、これらから除去した塵埃を室外へ排出する機能を備えた空気調和機の室内機に関する。
【背景技術】
【０００２】
一般的に多用される空気調和機の室内機は、いわゆる壁掛け式と呼ばれていて、部屋の壁面高所に取付けられる。そのため、たとえば高齢者や女性にとってはエアフィルタの着脱作業が困難をともない、エアフィルタに塵埃を付着させたままになり易い。長期間放置すると、エアフィルタに塵埃の目詰まりが生じて、熱交換効率の低下を招いてしまう。【０００３】
近時、エアフィルタに付着する塵埃を自動的に除去する機構を備えた空気調和機の室内機が提供されるようになった。しかしながら、エアフィルタ清掃機構はエアフィルタの表面に接触して塵埃を除去するので、一部の塵埃はエアフィルタの裏面側に落ち熱交換器に付着する。もしくは、たとえば粉末状の塵埃はエアフィルタを通過して、熱交換器に付着してしまう。【０００４】
特開平１１−３３７１０５号公報では、熱交換器の上部に洗浄スプレー装置を備え、洗浄液とすすぎ液をスプレーしてフィンの表面に付着した塵埃を除去する。さらに、飛散した水滴が他の構造物（送風機）に降りかかることのないよう可動式の防滴カバーを内設し、洗浄した液を露受け皿に集めて機外へ排出する空気調和機が開示されている。
【発明の開示】
【０００５】
ところで上述した空気調和機では、上記防滴カバーは洗浄液等の液体をスプレーする直前のタイミングで作動し、送風機を覆うようになっている。換言すれば、液体スプレー時において送風機に水滴がかかることはないが、防滴カバーに当たって跳ね返った細かい水滴は霧状となって室内機本体内を浮遊してしまう。
【０００６】
一般的な室内機では、熱交換器の側部に電気部品箱が並置されていて、送風機等の電動部品やリモコンから送られる信号を制御する電気部品が収容されている。これら電気部品のうちの一部は発熱量が著しく大であるので、箱内に冷却用空気を取入れて電気部品を冷却し、温度上昇した空気を取出す構成となっているため、密閉化されていない。
【０００７】
したがって、浮遊する霧状水滴の一部は電気部品箱内に侵入し、電気部品を濡らして漏電事故が発生する虞れがある。また、粉末状塵埃は熱交換器を通過して送風機に至り、ファンの回転にともなって発生する静電気の影響で、ファンに付着し易い。そのため、ファンに対する掃除が必要であり、洗浄液を使用しない有効な掃除機構の開発が望まれている。
【０００８】
本発明は上記事情にもとづきなされたものであり、その目的とするところは、エアフィルタと送風機ファンにそれぞれ接触して、これらに付着する塵埃を自動で除去し、エアフィルタとファンに対する掃除手間の軽減化をなし、本体内部の清潔度の向上化を図れる空気調和機の室内機を提供しようとするものである。
【０００９】
上記目的を満足するため本発明の空気調和機の室内機は、室内機本体に室内空気の吸込口及び熱交換空気の吹出口を備え、この吸込口と吹出口とを連通する送風路を備え、この送風路に沿ってエアフィルタ、熱交換器及び送風機を配置し、エアフィルタの表面に接触移動しながらエアフィルタに付着する塵埃を除去するエアフィルタ清掃機構と、送風機を構成するファンに接触しエアフィルタと熱交換器を通過してファンに付着する塵埃をファンの回転にともなって除去するファン清掃機構を具備する。
【図面の簡単な説明】
【００１０】
【図１】図１は、本発明の一実施の形態に係る、空気調和機の室内機の概略断面図である。
【図２】図２は、同室内機の本体内部の正面斜視図である。
【図３】図３は、同室内機に組み込まれた横流ファンの概略の構成図である。
【図４】図４は、同室内機に組み込まれたエアフィルタ清掃機構とファン清掃機構の作用時における塵埃の流れを示す説明図である。
【図５】図５は、同室内機に組み込まれたエアフィルタ清掃機構の一部と吸排気機構の外観斜視図である。
【図６】図６は、同室内機に組み込まれた吸排気機構の一部を拡大した斜視図である。
【図７】図７は、同実施の形態に係る、吸排気機構の構成部品を分解した斜視図である。
【図８】図８は、同実施の形態に係る、吸排気機構の作用説明図である。
【発明を実施するための最良の形態】
【００１１】
図１は空気調和機の室内機における概略の縦断面図、図２は室内機本体１の前面パネル２を外して内部を見せた正面斜視図である。【００１２】
室内機本体１は、前面パネル２と後板筐体３とから構成されていて、正面視で横長状をなす。前面パネル２の前面側一部に前部吸込口４が開口され、開閉駆動機構に支持された可動パネルＰが嵌め込まれている。運転停止時及び後述するエアフィルタ清掃機構Ａとファン清掃機構Ｂの作動時には、可動パネルＰは前面パネル２と同一面となり前部吸込口４を閉成する。また、空調運転時には可動パネルＰは手前側に突出変位し、本体１との間に隙間を形成して前部吸込口４を開放するよう制御される。【００１３】
前面パネル２及び後板筐体３の上部に亘って上部吸込口５が設けられる。上部吸込口５には枠状の桟６が嵌め込まれていて、この桟６によって複数の空間部に仕切られている。上記可動パネルＰ下部には吹出口７が開口されていて、この吹出口７には吹出しルーバ８が設けられる。上記吹出しルーバ８は、運転停止時及びエアフィルタ清掃機構Ａとファン清掃機構Ｂの作動時には上記吹出口７を開閉し、かつ空調運転条件に応じて熱交換空気の吹出し方向を設定できる。【００１４】
室内機本体１内には、前側熱交換器部１０Ａと後側熱交換器部１０Ｂとで略逆Ｖ字状に形成される熱交換器１０が配置される。前側熱交換器部１０Ａは、前面パネル２と間隙を存してほぼ平行な湾曲状に形成されて前部吸込口４及び上部吸込口５の一部と対向し、後側熱交換器部１０Ｂは直状に形成されて上部吸込口５と傾斜して対向する。  
上記前側熱交換器部１０Ａの下端部は前ドレンパン９ａ上に載り、後側熱交換器部１０Ｂの下端部は後ドレンパン９ｂ上に載って、それぞれの熱交換器部１０Ａ，１０Ｂから滴下するドレン水を受け、図示しない排水ホースを介して外部に排水できるようになっている。【００１５】
一方、前部吸込口４と前側熱交換器部１０Ａとの間には、前部エアフィルタ１１Ａが取付けられる。上部吸込口６と前側熱交換器部１０Ａ一部及び上側熱交換器部１０Ｂとの間には、上部エアフィルタ１１Ｂが取付けられる。これら前部エアフィルタ１１Ａと上部エアフィルタ１１Ｂはともに、従来の室内機のようにユーザーが容易に着脱できる構成としなくてもよい。【００１６】
すなわち、前部エアフィルタ１１Ａと上部エアフィルタ１１Ｂは、その表面側に備えられる上記エアフィルタ清掃機構Ａにより、捕捉し付着している塵埃を自動的に除去されるようになっている。したがって、前部エアフィルタ１１Ａと上部エアフィルタ１１Ｂは専門作業者がメンテナンス等、必要に応じて取外し可能な構成であればよい。【００１７】
上記エアフィルタ清掃機構Ａは、長手方向の両側端部が前部エアフィルタ１１Ａと上部エアフィルタ１１Ｂの幅方向両側部に沿って設けられる左右一対のメーンガイド１２に支持され、中間部が前部エアフィルタ１１Ａと上部エアフィルタ１１Ｂの中間部に設けられる左右一対のサブガイド１３に支持される。上記メーンガイド１２及びサブガイド１３ともに、前部エアフィルタ１１Ａの下端部（吹出口７の上端部でもある）から上部エアフィルタ１１Ｂの後端部に亘って設けられる。【００１８】
上記メーンガイド１２表面にはいわゆるラックＸａが設けられるのに対して、上記エアフィルタ清掃機構Ａは上記ラックＸａに噛合するピニオンギヤを備えている。そしてエアフィルタ清掃機構Ａの一側部には、上記ピニオンギヤを駆動する駆動機構を備えているので、ピニオンギヤを回転駆動することでエアフィルタ清掃機構Ａはメーンガイド１２とサブガイド１３に沿って自走できる。【００１９】
上記エアフィルタ清掃機構Ａは、左右のメーンガイドに亘って架設される横長状のダストボックス１５と、このダストボックス１５内の一側部に収容され、ダストボックス１５の全長に亘る軸方向長さのロールブラシ１６と、ダストボックス１５内の他側部に形成される塵埃受け通路１７及び、上記ロールブラシ１６を回転駆動するブラシ駆動機構とから構成される。  
上記ロールブラシ１６は、その毛先が前部エアフィルタ１１Ａと上部エアフィルタ１１Ｂに接触するよう支持される。したがって、ロールブラシ１６が回転駆動されることで、前部エアフィルタ１１Ａと上部エアフィルタ１１Ｂに付着する塵埃を除去しダストボックス１５内に取入れることができる。上記塵埃受け通路１７は、ロールブラシ１６が除去した塵埃を受け入れる位置に形成されている。【００２０】
再び図１に示すように、上記傘状に形成される熱交換器１０の前後側熱交換器部１０Ａ，１０Ｂ相互間に室内送風機２０が配置される。上記室内送風機２０は、ファンモータと、このファンモータの回転軸に一方の支軸が機械的に連結されるファン２１とから構成される。上記ファン２１は、横流ファン（クロスフローファン）であって、後述する加工が施されている。  
なお、図２のみに示す（図１では省略）ように、上記熱交換器１０の前側熱交換器部１０Ａにおける前面部で、前部エアフィルタ１１Ａとの間には空気清浄ユニットＣが取付けられている。この空気清浄ユニットＣは前部エアフィルタ１１Ａが捕捉できない細かい塵埃を集塵付着するとともに、脱臭作用も行う。【００２１】
図３は、上記横流ファン２１の概略の構成図である。  
上記横流ファン２１は、軸方向の両側部に設けられる円板状の端板２２と、これら両側端板２２の間に所定間隔を存して並置される複数枚の円板状の中間仕切り板２３と、これら両側端板２２と中間仕切り板２３の周端部に沿って設けられる溝部を貫通し、たとえば接着等の手段をもって取付け固定される複数枚の羽根２４からなる。【００２２】
図中右側の端板２２の軸芯部には孔部２２ａが設けられていて、ここに上記ファンモータの回転軸が挿入され、かつ固定される。図中左側の端板２２の軸芯部には支軸２２ｂが外方へ突設されていて、この支軸２２ｂは横流ファン２１側部に設けられる軸受部に支持される。  
さらに、図中右側の端板２２には、上記孔部２２ａと周端部との間に複数の円弧状長孔Ｘｂが設けられ、左側の端板２２には支軸２２ｂと周端部との間に複数の孔部Ｘｃが設けられる。上記中間仕切り板２３には、上記羽根２４の取付け部位を除く軸芯部に円形の開口部Ｘｄが設けられる。【００２３】
上記横流ファン２１は回転駆動されることによって周方向から空気を吸込み、周方向へ吹出すことができる。その一方で、一方の端板２２に設けられる円弧状長孔Ｘｂと、中間仕切り板２３に設けられる開口部Ｘｄ及び他方の端板２２に設けられる孔部Ｘｃとが互いに連通状態となっている。すなわち、横流ファン２１を構成する羽根２４の内側に、上記孔部Ｘｂ等からなる塵埃回収用開口部２５が形成されている。  
再び図１及び図２に示すように、前後ドレンパン９ａ，９ｂの一部側壁外面は室内送風機２０に近接した位置に設けられ、これらで室内送風機２０の横流ファン２１に対するノーズを構成している。ノーズを構成する前後ドレンパン９ａ，９ｂの側壁部分と吹出口７の各辺部との間は、隔壁部材２６によって連結される。隔壁部材２６で囲まれる空間が、ノーズと吹出口７とを連通する吹出し送風路２７となる。【００２４】
すなわち、上記室内送風機２０の横流ファン２１を回転駆動することにより、前部吸込口４及び上部吸込口５と、上記吹出口７とを連通する送風路２８が形成され、その一部が上記吹出し送風路２７となる。上記前部エアフィルタ１１Ａ及び上部エアフィルタ１１Ｂと、熱交換器１０と、室内送風機２０は、上記送風路２８の上流側から下流側に沿って、順に配置されることになる。  
上記前ドレンパン９ａのノーズ構成部の近傍に、上記室内送風機２０の横流ファン２１を掃除する上記ファン清掃機構Ｂが設けられる。このファン清掃機構Ｂは、横流ファン２１の軸方向全長に亘って対向配置されるブラシ等の清掃具３０と、この清掃具３０を進退移動させる進退駆動機構とから構成される。清掃具３０を進出移動した状態で、ブラシの毛先が横流ファン２１に接触し、後退移動することでブラシの毛先が横流ファン２１から離間するよう設定されている。【００２５】
上記熱交換器１０の一側部に電気部品箱２９が並置される。この電気部品箱２９内には、リモコンから送られる信号や各種のセンサ類から送られてくる信号にもとづいて、室内送風機２０他の電動部品を制御する半導体部品及び電気部品の集合体である制御部Ｓが収容されている。一部の電気部品は発熱量が著しく大であるので、冷却用空気を取入れてその電気部品を冷却し、温度上昇した空気を取出す冷却用開口部を備えていて、密閉化されていない。  
また、上記電気部品箱２９とは反対側の熱交換器１０側部には、後述する吸排気機構Ｄが設けられている。この吸排気機構Ｄは上記室内送風機２０を構成する横流ファン２１の側部に隣設され、この横流ファン２１の軸心の延長上に軸心を有している。【００２６】
つぎに、上記吸排気機構Ｄについて詳述する。  
図４は吸排気機構Ｄに対するエアフィルタ清掃機構Ａとファン清掃機構Ｂの作用説明図、図５は吸排気機構Ｄとエアフィルタ清掃機構Ａ一部の斜視図、図６は吸排気機構Ｄの一部を拡大した斜視図、図７は吸排気機構Ｄを分解した斜視図、図８は吸排気機構Ｄの作用を説明する図である。【００２７】
上記吸排気機構Ｄは、上記エアフィルタ清掃機構Ａ及び上記ファン清掃機構Ｂが除去した塵埃を室外へ排出する機能を備えている。なお説明すると、特に図４に示すように、上記エアフィルタ清掃機構Ａと吸排気機構Ｄの間には、除去した塵埃を案内するエアフィルタ用案内路３２が介設され、上記ファン清掃機構Ｂと吸排気機構Ｄとの間には、除去した塵埃を案内するファン用案内路３３が形成される。  
さらに、エアフィルタ用案内路３２及びファン用案内路３３は、互いに逆に開閉動作する開閉機構３４，３５を備えている。すなわち、エアフィルタ用案内路３２を開閉機構３４が開放したときはファン用案内路３３を開閉機構３５が閉成し、ファン用案内路３３を開閉機構３５が開放したときはエアフィルタ用案内路３２を開閉機構３４が閉成するよう作用する。【００２８】
上記エアフィルタ用案内路３２は、上記吸排気機構Ｄを構成するファンケーシング３６の周面一部に接続される。上記ファン用案内路３３は、上記吸排気機構Ｄに形成される塵埃導入口３７と対向していて、この塵埃導入口３７は上記横流ファン２１の軸受部と対向する位置にある。  
したがって、エアフィルタ用案内路３２とファン用案内路３３は吸排気機構Ｄで合流する。そのため、エアフィルタ清掃機構Ａとファン清掃機構Ｂに対して１つの吸排気機構Ｄで対応でき、部品の共通化による室内機本体１のコンパクト化とメンテナンスの簡素化を得られる。【００２９】
吸排気機構Ｄはファンケーシング３６内に多翼型ファンからなる換気ファン３８を備えている。換気ファン３８と横流ファン２１の軸芯は同一の軸Ｌ上にあり、これらの間に上記塵埃導入口３７が形成されることとなる。  
しかも、ファン清掃機構Ｂと吸排気機構Ｄは互いに連動するよう制御される。たとえば、ファン清掃機構Ｂの作動開始にタイミングを合わせて吸排気機構Ｄを作動開始してもよく、ファン清掃機構Ｂが作動を開始し所定時間が経過したあとで吸排気機構Ｄを作動させてもよく、あるいは吸排気機構Ｄの作動を開始し所定時間が経過したあとでファン清掃機構Ｂを作動させてもよい。【００３０】
さらに、ファンケーシング３６には排気ダクト３９が接続されていて、この排気ダクト３９は家屋の壁Ｋを貫通して開口端部が屋外へ延出される。  
図５に示すように、上記エアフィルタ清掃機構Ａを構成するダストボックス１５の一方の端部のみ開口され、排出ボックス４０でカバーされる。この排出ボックス４０と上記吸排気機構Ｄの上記ファンケーシング３６は接続ホース４１で連通されていて、この接続ホース４１が上記エアフィルタ用案内路３２の一部を形成することになる。  
上記接続ホース４１は全体的に緩やかな曲線をなすよう曲成されていて、内部を導通する塵埃が途中で詰まらないように配慮されている。そして、エアフィルタ清掃機構Ａの作動時においてダストボックス１５の移動及び変位位置の影響を受けることのない充分な長さを有する。【００３１】
上記吸排気機構Ｄを構成するファンケーシング３６はスクロール状に形成され、周面一部に上記接続ホース４１が接続される口体を備えた塵埃案内用ケース４２が設けられる。したがって、塵埃案内用ケース４２と上記接続ホース４１でエアフィルタ用案内路３２が形成される。  
図６に示すように、この塵埃案内用ケース４２の一部はダンパケース４３として突設され、このダンパケース４３内にエアフィルタ用案内路３２の上記開閉機構３４である風力ダンパが設けられる。【００３２】
上記風力ダンパ３４は、側面視で略への字状に折曲される板片からなっていて、上記ダンパケース４３は風力ダンパ３４の形状に合致するよう突出形成される。風力ダンパ３４の一端は支軸を介して塵埃案内用ケース４２に回動自在に支持され、風力ダンパ３４の他端は重力で垂れ下がって塵埃案内用ケース４２内を遮断する。  
接続ホース４１に所定圧以上の風圧（負圧）が加わると、風力ダンパ３４の自由端は風圧で上方に押され、エアフィルタ用案内路３２を開放する。この状態から所定圧以上の風圧が無くなれば、もしくは正圧が加われば、風力ダンパ３４はエアフィルタ用案内路３２を遮断するようになっている。【００３３】
図７及び図８に示すように、上記吸排気機構Ｄは、一側部にユニットベース４５が設けられ、他側部に上記ファンケーシング３６を有する送風機構５０が設けられるとともに、ユニットベース４５と送風機構５０との間には、上記ファン用案内路３３の開閉機構３５である換気ダンパ及びダンパ駆動機構５５が介設される。（なお、ここでは上記塵埃案内用ケース４２については省略している）  
上記ユニットベース４５の上部は、熱交換器１０を構成する前側熱交換器部１０Ａと後側熱交換器部１０Ｂの組合せ形状と合致し、かつ熱交換器１０の側端部が載る。ユニットベース４５の略中央部には周縁に沿ってリブＸｆが突設される取付け用開口部４６が設けられる。この取付け用開口部４６の略半周に沿い、互いに所定間隔を存して複数の全閉用片部４７が設けられ、一部の全閉用片部４７相互間には２次用換気口４８が開口される。【００３４】
上記取付け用開口部４６に軸受具４９が嵌着固定され、上記室内送風機２０を構成する横流ファン２１の支軸２２ｂを軸支している。内面側に突設される２本のステーＸｇにダンパ駆動機構５５を構成する小ギヤ５６が回転自在に嵌着される。他のステーＸｈの端面ねじ孔に、送風機構５０を取付け固定する取付けねじ５１が螺挿される。  
ユニットベース４５には，ダンパ駆動機構５５を構成する駆動用モータ５７が取付け固定され、さらに駆動用モータ５７の回転軸に連結する駆動ギヤ５８が回転自在に支持される受部５９が設けられる。【００３５】
上記換気ダンパ３５の中心部に設けられる孔部６０が、上記取付け用開口部４６周面に沿って形成されるリブＸｆに回転自在に嵌め込まれる。換気ダンパ３５は、孔部６０から径方向に沿って断面略皿状に形成され、円形状の外周縁に沿ってギヤ部Ｇが設けられる。このギヤ部Ｇには、ダンパ駆動機構５５を構成する２個の小ギヤ５６と駆動ギヤ５８が噛合する。  
上記換気ダンパ３５における孔部６０と外周のギヤ部Ｇとの間で、周方向の一部には複数の案内用換気口６２が設けられる。これら案内用換気口６２は、ユニットベース４５の上記２次用換気口４８と全く同一の開口寸法形状をなし、案内用換気口６２相互間隔は、上記全閉用片部４７相互間隔と同一に設定されている。【００３６】
上記換気ダンパ３５はリブＸｆに嵌め込まれた状態で、ユニットベース４５内面と間隙を存し、かつ換気ダンパ３５の一側面は全閉用片部４７端縁に常に摺接状態にある。したがって、換気ダンパ３５の案内用換気口６２が２次用換気口４８と対向している状態を除いて、各２次用換気口４８は換気ダンパ３５によって閉塞される。  
上記送風機構５０は、換気ダンパ３５側の側面に対して開口する吸気口６３を備え、周端部に排気口体６４が突設される上記ファンケーシング３６と、このファンケーシング３６の吸気口６３対向面に取付けられるファンモータ６５と、このファンモータ６５の回転軸に取付けられる上記換気ファン３８とから構成される。【００３７】
上記換気ファン３８は、回転にともなって軸心方向から空気を吸込んで周方向へ送風する、いわゆる遠心ファンタイプ（多翼型）である。実際には、ファンケーシング３６の吸気口６３から空気を吸込んで排気口体６４へ送風する作用をなす。上記排気口体６４には先に図４で示した排気ダクト３９が接続されていて、この排気ダクト３９は壁Ｋを貫通して屋外へ延出されることは上述のとおりである。  
このようにして構成される空気調和機の室内機であって、リモコンの運転スイッチをオンに切換えると、可動パネルＰが前部吸込口４を開放し、冷房運転と暖房運転の指定に応じて吹出口７に備えられる吹出しルーバ８が回動し風向姿勢が設定される。同時に、室内送風機２０が送風作用をなす一方で、室外機の圧縮機が駆動され冷凍サイクル運転が開始される。【００３８】
室内空気は、前部吸込口４と上部吸込口５とから室内機本体１内に形成される送風路２８に沿って導かれる。すなわち、室内空気は前部エアフィルタ１１Ａ及び上部エアフィルタ１１Ｂを通過し、室内空気中に含まれる塵埃が捕捉される。さらに、空気清浄ユニットＣを流通して清浄化した室内空気は熱交換器１０に導かれて熱交換作用が行われる。この熱交換空気は吹出し送風路２７から吹出口７に導かれ、吹出しルーバ８に案内されて室内へ吹出され、効率のよい空調運転を継続する。  
空調運転を長期間継続すると、必然的に前、上部エアフィルタ１１Ａ，１１Ｂに室内空気から捕捉した塵埃が堆積するとともに、各エアフィルタ１１Ａ，１１Ｂと上記熱交換器１０を通過した塵埃が、室内送風機２０を構成する横流ファン２１に静電気の影響で付着する。  
そこで制御部Ｓは、空調運転の終了の都度、もしくは所定の空調運転累積時間の経過後に、上記エアフィルタ清掃機構Ａとファン清掃機構Ｂに作動開始信号を送る。もしくは、ユーザーが任意でリモコンの掃除スイッチを押すことで、制御部Ｓから各清掃機構Ａ，Ｂへ作動開始信号を送れるように設定してもよい。【００３９】
上記制御部Ｓは、可動パネルＰの駆動機構へ信号を送って前部吸込口４を閉成するとともに、吹出しルーバ８の駆動機構へ信号を送って吹出口７を閉成する。すなわち、予め室内機本体１を略密閉構造化して収集した塵埃が漏れるのを可能な限り防止する。これらの閉成完了後のタイミングをとって、はじめにエアフィルタ清掃機構Ａへ作動開始信号が送られる。  
運転停止時は勿論のこと空調運転時においても、エアフィルタ清掃機構Ａを構成するダストボックス１５は図１に示すように前部吸込口４上端と上部吸込口５前端と間の前面パネル２部位と対向する位置にあるので、特に空調運転中において前部吸込口４と上部吸込口５から本体１内に吸込まれる室内空気の流通障害とならない。【００４０】
エアフィルタ清掃機構Ａに作動開始信号が送られると、ピニオンギヤが駆動されてダストボックス１５はメーンガイド１２とサブガイド１３に案内され、前部エアフィルタ１１Ａの前面側に沿って移動する。同時に、ブラシ駆動機構がダストボックス１５内のロールブラシ１６を回転駆動して、その毛先が前部エアフィルタ１１Ａに接触する。前部エアフィルタ１１Ａに付着している塵埃はロールブラシ１６によって掻き落され、かつダストボックス１５内の塵埃受け通路１７に受け入れられる。【００４１】
このようにしてダストボックス１５が前部エアフィルタ１１Ａの上端から下端に亘って移動したら、今度は下端から上端へ向って移動し、前部エアフィルタ１１Ａに残っている塵埃を除去する。その後、ダストボックス１５は上部エアフィルタ１１Ｂの前端から後端に亘って移動して付着している塵埃を除去し、再び上部エアフィルタ１１Ｂの前端位置に戻って塵埃を除去してから、清掃作用を停止する。【００４２】
前部エアフィルタ１１Ａと上部エアフィルタ１１Ｂともに２度ずつ塵埃の除去作業がなされ、清掃効果が完璧となる。ダストボックス１５の塵埃受け通路１７には各エアフィルタ１１Ａ，１１Ｂから除去した塵埃が収集されているので、制御部Ｓはエアフィルタ清掃機構Ａへ作業終了信号を送ったあと、吸排気機構Ｄへ作動信号を送り、収集された塵埃を屋外へ排出する。  
上記吸排気機構Ｄは、「２次側空気換気モード」と、「１次側空気換気モード」及び「ダンパ全閉モード」の３種類のモードに切換えられるようになっている。なお、２次側、１次側の呼称は、ここでは上記熱交換器１０を基準としていて、２次側空気は熱交換器１０を流通したあとの空気を言い、１次側空気は熱交換器１０に流通する以前の空気を言う。【００４３】
上記制御部Ｓは、吸排気機構Ｄを作動する際に、「ダンパ全閉モード」を選択する。換気ダンパ３５が回動され、案内用換気口６２がユニットベース４５の全閉用片部４７とリブＸｆによって囲まれて完全閉成状態になる。また、ユニットベース４５の２次用換気口４８が換気ダンパ３５面によって完全閉成され、ファンケーシング３６の吸気口６３が閉塞される。すなわち、開閉機構である換気ダンパ３５は塵埃導入口３７を閉成し、したがってファン用案内路３３が閉成される。【００４４】
ついで、送風機構５０が作用して換気ファン３８が回転駆動されると、ファンケーシング３６内が負圧状態となる。この影響でダンパケース４３内も負圧状態となり、開閉機構である風力ダンパ３４はエアフィルタ用案内路３２を開放する。エアフィルタ用案内路３２を介してダストボックス１５内の塵埃受通路１７にも負圧がかかることになり、ここに収集されていた塵埃がエアフィルタ用案内路３２からファンケーシング３６内に導かれ、さらに排気ダクト３９を介して屋外へ排出される。【００４５】
このようにして、換気ダンパ３５がファン用案内路３３を閉成すると、風力ダンパ３４はエアフィルタ用案内路３２を開放する。  
エアフィルタ清掃機構Ａが収集した塵埃を屋外へ排出したあと、制御部Ｓはファン清掃機構Ｂへ作業開始信号を送るとともに、吸排気機構Ｄへは「２次側空気換気モード」への切換え信号を送る。ファン清掃機構Ｂを構成する進退駆動機構は、清掃具３０を進出移動させてブラシの毛先を横流ファン２１に接触させる。  
そのうえで、制御部Ｓは横流ファン２１を低速運転させる。すなわち、空調運転中は横流ファン２１を正回転駆動し、ファン清掃機構Ｂの作動中は横流ファン２１を逆回転駆動する、もしくは正回転駆動と逆回転駆動を繰り返すよう制御する。【００４６】
図８に示すように、横流ファン２１の回転にともなってブラシ清掃具３０の毛先が摺接し、横流ファン２１に付着していた塵埃が除去される。同時に、吸排気機構Ｄにおけるダンパ駆動機構５５が作動して換気ダンパ３５を回動させ、換気ダンパ３５の案内用換気口６２とユニットベース４５の２次用換気口４８が対向する。  
すなわち、吸排気機構Ｄの塵埃導入口３７が開放され、かつ塵埃導入口３７と横流ファン２１の塵埃回収用開口部２５とが、ユニットベース４５と横流ファン２１の端板２２との間隙であるファン用案内路３３を介して対向することになる。  
上記横流ファン２１の低速回転により常時開放している上部吸込口５から室内空気が室内機本体１内に吸込まれ、熱交換器１０を流通する。そして、熱交換器１０から流出した２次側空気は換気ファン３８の作動により、２次用換気口４８と案内用換気口６２及び吸気口６３を介して吸排気機構Ｄ内に吸込まれる。【００４７】
同時に、塵埃導入口３７からファン用案内路３３を介して横流ファン２１の塵埃回収用開口部２５に負圧がかかる。横流ファン２１から掻き落された塵埃は塵埃回収用開口部２５からファン用案内路３３に導かれ、塵埃導入口３７において２次側空気と合流して吸排気機構Ｄ内に導入される。そして、２次側空気とともに塵埃は排気ダクト３９を介して屋外へ排出される。  
このようにして、換気ダンパ３５がファン用案内路３３を開放すると、風力ダンパ３４はエアフィルタ用案内路３２を閉成する。  
上記ファン用案内路３３は、横流ファン２１側端端部とユニットベース４５との間隙から形成され、エアフィルタ用案内路３２のような接続ホース４１は存在しないが、距離が短く、かつ塵埃回収用開口部２５に対する負圧が大であるので、塵埃の屋外排出は無理なく行われる。【００４８】
また、吸排気機構Ｄは「１次側空気換気モード」も選択できる。このときは、換気ダンパ３５の案内用換気口６２の位置をユニットベース４５の２次用換気口４８の位置からずらし、ダンパ３５面をユニットベース４５の全閉用片部４７端縁に接触させ、２次用換気口４８を換気ダンパ３５で閉成する。したがって、送風機構５０周面とユニットベース４５内面とは間隙が形成され、案内用換気口６２は上記間隙と連通して１次側空気が導かれる。【００４９】
ただし、上記塵埃導入口３７を構成する２次用換気口４８が閉成されるので、換気ファン３８を駆動しても横流ファン２１の塵埃回収用開口部２５に対して負圧をかけ難く、吸排気機構Ｄ内に塵埃を吸込み難くなる。したがって、吸排気機構Ｄが「１次側空気換気モード」を選択した際には、ファン清掃機構Ｂは連動しない。  
なお、「２次側空気換気モード」と「１次側空気換気モード」において、送風機構５０を構成するファンケーシング３６から上記ダンパケース４３に対して送風圧がかかるので、ダンパケース４３に設けられる風力ダンパ３４が接続ホース４１側への気流の流れを防止する。したがって、接続ホース４１からダストボックス１５への気流の逆流がない。【００５０】
このように本発明においては、前、上部エアフィルタ１１Ａ，１１Ｂと室内送風機２０の横流ファン２１にそれぞれ接触して、これらに付着する塵埃を自動で除去するので、洗浄液を用いる必要がない。各エアフィルタ１１Ａ，１１Ｂとファン２１に対する掃除手間が軽減化して、室内機本体１内部の清潔度の向上化を図れる。【００５１】
本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【産業上の利用可能性】
【００５２】
本発明によれば、空気調和機の室内機のエアフィルタとファンに対する掃除手間の軽減化をなし、本体内部の清潔度の向上化が可能となる。
【図１】
2007145254.tif 000003
【図２】
2007145254.tif 000004
【図３】
2007145254.tif 000005
【図４】
2007145254.tif 000006
【図５】
2007145254.tif 000007
【図６】
2007145254.tif 000008
【図７】
2007145254.tif 000009
【図８】
2007145254.tif 000010
【国際調査報告】
2007145254.tif 000011
2007145254.tif 000012
2007145254.tif 000013
2007145254.tif 000014